(57)【要約】【課題】ユーザの負担を軽減し、ユーザのプライバシーを保護しつつ、ユーザへの通知にユーザが気づく確率を高める。【解決手段】通知制御装置１の通知確認部１１が、端末３のユーザへの通知の有無の問い合わせ３０１を受信したなら、サービス装置５に対し、端末３のユーザへの通知の有無の問い合わせ１０１を送信し、当該通知がある場合に当該通知をサービス装置５から受信する。ディスプレイ検出部１２が、通知が受信されたなら、端末３の位置情報を受信し、ディスプレイ管理装置２に位置情報を送信し、位置情報の位置から視認可能な位置にあるディスプレイ装置４を示す応答２０１をディスプレイ管理装置２から受信する。通知送信部１３が、応答２０１に対応するディスプレイ装置４に通知を送信することにより、ディスプレイ装置４が通知に対応するユーザへの通知があることを表示するようにディスプレイ装置２を制御する。【選択図】図１
2015114940.tif 000002
【特許請求の範囲】
【請求項１】
ユーザに使用される端末、ユーザへの通知があることを表示するディスプレイ装置、ユーザへの通知を管理するサービス装置およびディスプレイ装置の位置を管理するディスプレイ管理装置に通信回線を介して接続される通知制御装置であって、
前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信する通知確認部と、
当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信するディスプレイ検出部と、
前記応答に対応するディスプレイ装置に前記受信された通知を送信することにより、当該ディスプレイ装置が当該通知に対応するユーザへの通知があることを表示するように当該ディスプレイ装置を制御する通知送信部と
を備えることを特徴とする通知制御装置。
【請求項２】
ユーザに使用される端末、ユーザへの通知があることを表示するディスプレイ装置およびユーザへの通知を管理するサービス装置に通信回線を介して接続される通知制御装置と、ディスプレイ装置の位置を管理するディスプレイ管理装置とを含む通知制御システムであって、
前記ディスプレイ管理装置は、
前記通知制御装置から端末の位置情報を受信したなら、当該位置情報の位置から視認可能な位置にあるディスプレイ装置を示す応答を通知制御装置に送信するように構成され、
前記通知制御装置は、
前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信する通知確認部と、
当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信するディスプレイ検出部と、
前記応答に対応するディスプレイ装置に前記受信された通知を送信することにより、当該ディスプレイ装置が当該通知に対応するユーザへの通知があることを表示するように当該ディスプレイ装置を制御する通知送信部と
を備えることを特徴とする通知制御システム。
【請求項３】
ユーザに使用される端末、ユーザへの通知があることを表示するディスプレイ装置、ユーザへの通知を管理するサービス装置およびディスプレイ装置の位置を管理するディスプレイ管理装置に通信回線を介して接続される通知制御装置の動作方法であって、
前記通知制御装置の通知確認部が、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信し、
前記通知制御装置のディスプレイ検出部が、当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信し、
前記通知制御装置の通知送信部が、前記応答に対応するディスプレイ装置に前記受信された通知を送信することにより、当該ディスプレイ装置が当該通知に対応するユーザへの通知があることを表示するように当該ディスプレイ装置を制御する
ことを特徴とする通知制御装置の動作方法。
【請求項４】
ユーザに使用される端末、ユーザへの通知があることを表示するディスプレイ装置およびユーザへの通知を管理するサービス装置に通信回線を介して接続される通知制御装置と、ディスプレイ装置の位置を管理するディスプレイ管理装置とを含む通知制御システムの動作方法であって、
前記通知制御装置の通知確認部が、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信し、
前記通知制御装置のディスプレイ検出部が、当該通知が受信されたなら、前記端末から当該端末の位置情報を受信し、前記ディスプレイ管理装置に位置情報を送信し、
前記ディスプレイ管理装置が、当該位置情報を受信したなら、当該位置情報の位置から視認可能な位置にあるディスプレイ装置を示す応答を通知制御装置に送信し、
前記通知制御装置のディスプレイ検出部が、当該応答を受信し、
前記通知制御装置の通知送信部が、前記応答に対応するディスプレイ装置に前記受信された通知を送信することにより、当該ディスプレイ装置が当該通知に対応するユーザへの通知があることを表示するように当該ディスプレイ装置を制御する
ことを特徴とする通知制御システムの動作方法。
【請求項５】
請求項１記載の通知制御装置としてコンピュータを機能させるためのコンピュータプログラム。
【請求項６】
ユーザに使用される端末、ユーザへの通知があることを表示するディスプレイ装置およびユーザへの通知を管理するサービス装置に通信回線を介して接続される通知制御装置と、ディスプレイ装置の位置を管理するディスプレイ管理装置とを含む通知制御システムの動作方法を当該通知制御システムに実行させるためのコンピュータプログラムであって、
前記端末から逐次送信される当該端末のユーザへの通知の有無の問い合わせを受信するステップと、
当該問い合わせを受信したなら、前記サービス装置に対し、前記ユーザへの通知の有無の問い合わせを送信するステップと、
当該通知がある場合に当該通知を当該サービス装置から受信するステップと、
当該通知が受信されたなら、前記端末から当該端末の位置情報を受信し、前記ディスプレイ管理装置に位置情報を送信するステップと、
当該位置情報を受信したなら、当該位置情報の位置から視認可能な位置にあるディスプレイ装置を示す応答を前記通知制御装置に送信するステップと、
当該応答を受信するステップと、
当該応答に対応するディスプレイ装置に前記受信された通知を送信することにより、当該ディスプレイ装置が当該通知に対応するユーザへの通知があることを表示するように当該ディスプレイ装置を制御するステップと
を含む動作方法を実行させるためのコンピュータプログラム。
【発明の詳細な説明】
【技術分野】
【０００１】
本発明は、通知制御装置、通知制御システム、通知制御装置の動作方法、通知制御システムの動作方法およびコンピュータプログラムに関するものである。
【背景技術】
【０００２】
近年では、多彩なアプリケーションをもつ端末を所持して行動するユーザが増えている。メールや電話やＳＮＳなどのコミュニケーションサービス、地域情報の検索や地図の閲覧、周辺店舗のクーポンなど、その時、その場所で利用したいサービスを端末から利用できるようになった。これらのサービスを利用するために、ユーザは端末に各種クライアントアプリケーションをインストールして、そのクライアントアプリケーションを介して各種サービスを利用する。
【０００３】
しかし、ユーザが常にクライアントアプリケーションの画面を確認しながらコミュニケーションや各種情報収集を行うことは困難であり、歩行中に継続して端末の画面を確認することは大変危険である。
【０００４】
そのため、クライアントアプリケーションには、ユーザへの通知の必要性が生じた場合に、音声や端末の振動でユーザにその事実を知らせる通知機能が備わっているものが多い。この通知機能により、メールの受信や音声通話の着信、情報リソースの更新、近くの店舗のクーポンを取得する際、その通知をアプリケーションが行う。ユーザはその通知があった時にアプリケーションを利用すれば良い．
しかし、端末を鞄や服のポケットに入れたまま歩行している時や、周囲の騒音が大きい環境にいる時は、その通知に気づかないことがある。
【先行技術文献】
【非特許文献】
【０００５】
【非特許文献１】鈴木，上岡  「記憶想起支援のためのデジタルサイネージ個人化手法」，電子情報通信学会技術研究報告 MoMuCモバイルマルチメディア通信, Vol. 111, No. 476, pp. 13-18, 2012-03-05.
【発明の概要】
【発明が解決しようとする課題】
【０００６】
そこで、非特許文献１は、デジタルサイネージを利用して、ユーザの記憶想起を行う手法を提案している。例えば、ユーザ毎に自動生成されたポータルサイトを、外出先のサイネージに表示して閲覧することで、ユーザによって必要な情報を取得できる。
【０００７】
しかし、この手法では、以下の２点が問題となる。 
１．ユーザが近距離無線通信を使ってサイネージに対して自発的にユーザに通知されるべき情報があるかどうかの確認行為を行う必要があり、ユーザの負担になる。 
２．周囲の人に閲覧を促すパブリックディスプレイ上で個人に特化した情報を表示するので、個人のプライバシー情報が周囲の人に漏れてしまう。 
非特許文献１のシステムを用いてユーザに情報の存在を通知しようとすると、上記２点の問題が発生するので、実運用上ユーザへの負担が大きい。
【０００８】
本発明は、上記の課題に鑑みてなされたものであり、その目的とするところは、ユーザの負担を軽減し、ユーザのプライバシーを保護しつつ、ユーザへの通知にユーザが気づく確率を高める技術を提供することにある。
【課題を解決するための手段】
【０００９】
上記の課題を解決するために、第１の本発明は、ユーザに使用される端末、ユーザへの通知があることを表示するディスプレイ装置、ユーザへの通知を管理するサービス装置およびディスプレイ装置の位置を管理するディスプレイ管理装置に通信回線を介して接続される通知制御装置であって、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信する通知確認部と、当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信するディスプレイ検出部と、前記応答に対応するディスプレイ装置に前記受信された通知を送信することにより、当該ディスプレイ装置が当該通知に対応するユーザへの通知があることを表示するように当該ディスプレイ装置を制御する通知送信部とを備えることを特徴とする。
【００１０】
第２の本発明は、ユーザに使用される端末、ユーザへの通知があることを表示するディスプレイ装置およびユーザへの通知を管理するサービス装置に通信回線を介して接続される通知制御装置と、ディスプレイ装置の位置を管理するディスプレイ管理装置とを含む通知制御システムであって、前記ディスプレイ管理装置は、前記通知制御装置から端末の位置情報を受信したなら、当該位置情報の位置から視認可能な位置にあるディスプレイ装置を示す応答を通知制御装置に送信するように構成され、前記通知制御装置は、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信する通知確認部と、当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信するディスプレイ検出部と、前記応答に対応するディスプレイ装置に前記受信された通知を送信することにより、当該ディスプレイ装置が当該通知に対応するユーザへの通知があることを表示するように当該ディスプレイ装置を制御する通知送信部とを備えることを特徴とする。
【００１１】
第３の本発明は、ユーザに使用される端末、ユーザへの通知があることを表示するディスプレイ装置、ユーザへの通知を管理するサービス装置およびディスプレイ装置の位置を管理するディスプレイ管理装置に通信回線を介して接続される通知制御装置の動作方法であって、前記通知制御装置の通知確認部が、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信し、前記通知制御装置のディスプレイ検出部が、当該通知が受信されたなら、前記端末から当該端末の位置情報を受信し、前記ディスプレイ管理装置に位置情報を送信し、前記ディスプレイ管理装置で管理される、当該位置情報の位置から視認可能な位置にあるディスプレイ装置を示す応答を当該ディスプレイ管理装置から受信し、前記通知制御装置の通知送信部が、前記応答に対応するディスプレイ装置に前記受信された通知を送信することにより、当該ディスプレイ装置が当該通知に対応するユーザへの通知があることを表示するように当該ディスプレイ装置を制御することを特徴とする。
【００１２】
第４の本発明は、ユーザに使用される端末、ユーザへの通知があることを表示するディスプレイ装置およびユーザへの通知を管理するサービス装置に通信回線を介して接続される通知制御装置と、ディスプレイ装置の位置を管理するディスプレイ管理装置とを含む通知制御システムの動作方法であって、前記通知制御装置の通知確認部が、前記端末から逐次送信される当該端末のユーザへの通知の有無の問い合わせを受信したなら、前記サービス装置に対し、前記ユーザへの通知の有無の問い合わせを送信し、当該通知がある場合に当該通知を当該サービス装置から受信し、前記通知制御装置のディスプレイ検出部が、当該通知が受信されたなら、前記端末から当該端末の位置情報を受信し、前記ディスプレイ管理装置に位置情報を送信し、前記ディスプレイ管理装置が、当該位置情報を受信したなら、当該位置情報の位置から視認可能な位置にあるディスプレイ装置を示す応答を通知制御装置に送信し、前記通知制御装置のディスプレイ検出部が、当該応答を受信し、前記通知制御装置の通知送信部が、前記応答に対応するディスプレイ装置に前記受信された通知を送信することにより、当該ディスプレイ装置が当該通知に対応するユーザへの通知があることを表示するように当該ディスプレイ装置を制御することを特徴とする。
【発明の効果】
【００１３】
本発明によれば、ユーザの負担を軽減し、ユーザのプライバシーを保護しつつ、ユーザへの通知にユーザが気づく確率を高めることができる。
【図面の簡単な説明】
【００１４】
【図１】本実施の形態に係る通知制御システムの利用形態の例を示す図である。
【図２】ディスプレイ装置４における第１の通知の表示例を示す図である。
【図３】ディスプレイ装置４における第２の通知の表示例を示す図である。
【図４】ディスプレイ装置４における第３の通知の表示例を示す図である。
【図５】ディスプレイ装置４における第４の通知の表示例を示す図である。
【図６】端末３とディスプレイ装置４の別な構成例を示す図である。
【発明を実施するための形態】
【００１５】
以下、本発明の実施の形態について図面を参照して説明する。
【００１６】
図１は、本実施の形態に係る通知制御システムの利用形態の例を示す図である。
【００１７】
通知制御システムは、通知制御装置１と、通知制御装置１に通信回線を介して接続されるディスプレイ管理装置２とを含む。
【００１８】
通知制御装置１は、ユーザに使用される端末３、ユーザへの通知があることを表示するディスプレイ装置４、ユーザへの通知を管理するサービス装置５およびディスプレイ装置４に本来表示される表示情報を管理する表示情報管理装置６に通信回線を介して接続される。
【００１９】
サービス装置５の１つは、例えば、メール（メッセージ）を管理する。この場合、通知はメールの到着を示すものなどである。サービス装置５の１つは、例えば、ＳＮＳと称されるネットワークにおけるユーザへの通知を管理する。サービス装置５の１つは、例えば、クーポンや広告を管理する。この場合、通知は、クーポン発行の通知や広告自体などである。
【００２０】
表示情報管理装置６は、ディスプレイ装置４に本来表示される表示情報を管理し、通知制御装置１を介して、ディスプレイ装置４に表示情報を送信し、ディスプレイ装置４に表示させる。
【００２１】
（ディスプレイ装置４）
図のディスプレイ装置４は、ここでは、多数のディスプレイ装置４の１つである。 
ディスプレイ装置４は、例えば、特に都市部において、新たな情報取得媒体として、デジタルサイネージのように称されるものである。デジタルサイネージは、表示や通信にデジタル技術を用い、ネットワークから取得した広告素材などの表示情報を表示する表示装置である。
【００２２】
各ディスプレイ装置４は、例えば公共の場に分散して配置される。ディスプレイ装置４は、例えば、自動販売機、自動改札口の表示装置、待合室の表示装置、レストランのメニュー表示装置、コンビニエンスストアなどのレジ装置を兼ねる。
【００２３】
ディスプレイ装置４は、表示情報管理装置６から通知制御装置１を介して表示情報を受信する表示情報受信部４１、通知制御装置１から、当該ディスプレイ装置を視認可能な位置にある端末３のユーザへの通知を受信する通知受信部４２および表示情報や通知を表示する表示部４３を備える。
【００２４】
なお、ディスプレイ装置４は、表示情報を通知制御装置１を介さずに受信するものであってもよい。
【００２５】
（ディスプレイ管理装置２）
ディスプレイ管理装置２は、各ディスプレイ装置４の位置を管理する。ディスプレイ管理装置２は、例えば、各ディスプレイ装置４の位置を示す位置情報、当該位置からディスプレイ装置４を視認可能な範囲を管理する。
【００２６】
（端末３）
図の端末３は、ここでは、多数の端末３の１つである。 
各端末３は、これを使用するユーザに携行され、その位置を変える。端末３は、例えば、スマートフォン、ノート型のパーソナルコンピュータである。
【００２７】
端末３は、通知制御装置１に対し当該端末のユーザへの通知の有無の問い合わせ３０１を逐次送信する問い合わせ送信部３１、通知制御装置１からの要求に応じて当該端末の位置情報を取得し通知制御装置１に送信する位置情報送信部３２、当該端末のユーザへの通知を受信する通知受信部３３を備える。
【００２８】
（通知制御装置１）
通知制御装置１は、端末３から問い合わせ３０１を受信したなら、該当のサービス装置５に対し、ユーザへの通知の有無の問い合わせ１０１を送信し、当該通知がある場合に当該通知を当該サービス装置から受信する通知確認部１１と、当該通知が受信されたなら、端末３から当該端末の位置情報を受信し、ディスプレイ管理装置２に位置情報を送信し、ディスプレイ管理装置２で管理される、当該位置情報の位置から視認可能な位置にあるディスプレイ装置を示す応答２０１をディスプレイ管理装置２から受信するディスプレイ検出部１２と、応答２０１に対応するディスプレイ装置に、受信された通知を送信することにより、当該ディスプレイ装置が当該通知に対応するユーザへの通知があることを表示するように当該ディスプレイ装置を制御する通知送信部１３とを備える。
【００２９】
（通知制御システムの動作）
図１において、端末３の問い合わせ送信部３１は、通知制御装置１に対し当該端末のユーザへの通知の有無の問い合わせ３０１を逐次送信する。問い合わせ３０１は、例えば、当該ユーザを示すユーザＩＤ、どのサービス装置５で管理される通知かを示すサービスＩＤなどを含む。
【００３０】
通知制御装置１の通知確認部１１は、問い合わせ３０１を受信したなら、例えば、問い合わせ３０１内のサービスＩＤに対応するサービス装置５に対し、ユーザへの通知の有無の問い合わせ１０１を送信する。問い合わせ１０１は、例えば、問い合わせ３０１から取り出したユーザＩＤを含む。
【００３１】
問い合わせ１０１を受信したサービス装置５は、問い合わせ１０１内のユーザＩＤに対応するユーザへの通知の有無を判定し、通知があれば、通知制御装置１に通知を送信する。通知は、例えば、通知に割り当てられた通知ＩＤ、問い合わせ１０１内のユーザＩＤとサービスＩＤ、通知内容（メールの本文やＳＮＳでの通知内容やクーポン等の内容など）を含む。
【００３２】
通知確認部１１は、通知をサービス装置５から受信する。 
ディスプレイ検出部１２は、通知が受信されたなら、問い合わせ３０１を送信した端末３に対し、端末３の位置情報を送信するように要求する。
【００３３】
端末３の位置情報送信部３２は、要求があったなら、当該端末の位置情報を取得し通知制御装置１に送信する。位置情報は、例えば、ＧＰＳ衛星からの電波により得られる端末３の緯度と経度である。位置情報は、例えば、端末３の近傍にある無線ＬＡＮアクセスポイントの識別情報である。
【００３４】
通知制御装置１のディスプレイ検出部１２は、端末３から当該端末の位置情報を受信し、ディスプレイ管理装置２に位置情報を送信する。 
ディスプレイ管理装置２は、通知制御装置１から端末の位置情報を受信したなら、当該位置情報の位置から視認可能な位置にあるディスプレイ装置４を示す応答２０１を通知制御装置１に送信する。応答２０１は、例えば、当該ディスプレイ装置４の識別情報を含む。
【００３５】
通知制御装置１のディスプレイ検出部１２は、応答２０１を受信する。 
通知制御装置１の通知送信部１３は、応答２０１が受信されたなら、例えば、応答２０１内の識別情報に対応するディスプレイ装置４に対し、通知確認部１１が受信した通知から通知内容を除いたものを送信する。
【００３６】
ディスプレイ装置４の通知受信部４２は、通知制御装置１から送信された通知を受信し、当該通知に対応するユーザへの通知があることを表示部４３に例えば一定時間表示する。
【００３７】
例えば、図２に示すように、レストランの前に設置されたディスプレイ装置４の表示部４３は、レストランのメニューを表示しており、通知内のユーザＩＤとサービスＩＤのそれぞれに対応するアイコン４３１、４３２などがポップアップ表示される。例えば、このアイコンを、該当のユーザのみが認識可能なものとすることで、だれ（どのユーザ）がどのサービスを利用しているかを秘匿できる。以下、アイコンについては、同様である。
【００３８】
例えば、図３に示すように、自動販売機を兼ねるディスプレイ装置４の表示部４３は、販売される商品の画像を表示しており、さらにポップアップ画面を表示し、ポップアップ画面において、商品の値段と、通知内のユーザＩＤとサービスＩＤのそれぞれに対応するアイコン４３１、４３２と、「新着メッセージがきています」という文章が表示される。
【００３９】
例えば、図４に示すように、レジ装置を兼ねるディスプレイ装置４の表示部４３は、商品の値段と、通知内のユーザＩＤとサービスＩＤのそれぞれに対応するアイコン４３１、４３２と、「新着メッセージがきています」という文章を表示する。
【００４０】
例えば、図５に示すように、自動改札口の表示装置を兼ねるディスプレイ装置４の表示部４３は、通知内のユーザＩＤに対応するアイコン４３１と、クーポン４３３を表示する。
【００４１】
図１に戻り、端末３は、これを使用するユーザに携行され、その位置を変え、端末３は問い合わせ３０１を逐次送信するので、ユーザが赴く先々のディスプレイ装置４に通知が表示される。
【００４２】
また、通知制御装置１の通知送信部１３は、問い合わせ３０１を送信した端末３に対し、通知確認部１１が受信した通知を送信する。
【００４３】
端末３の通知受信部３３は、通知制御装置１からの通知を受信する。 
ディスプレイ装置４における表示により、端末３のユーザは、自分への通知があることに気づき、端末３を操作する。操作により、端末３は、受信した通知内の通知内容などを画面表示させる。端末３は、通知内容を確認したユーザの操作により、通知確認完了を通知制御装置１に送信する。通知確認完了は、通知内の通知ＩＤを含む。
【００４４】
通知制御装置１の通知送信部１３は、通知確認完了を受信したなら、通知確認完了内の通知ＩＤを含む通知の送信を停止する。よって、確認した通知の送信は停止され、未確認の通知の送信は継続される。
【００４５】
なお、図６に示すように、端末３、ディスプレイ装置４のそれぞれに、非接触通信部や近距離無線通信部を設け、端末３の非接触通信部などが問い合わせ３０１をディスプレイ装置４の非接触通信部などに送信し、ディスプレイ装置４の非接触通信部などが問い合わせ３０１を通知制御装置１に送信してもよい。
【００４６】
以上のように、本実施の形態では、端末３は問い合わせ３０１を逐次送信するので、ユーザによる自発的な確認行為を不要にでき、ユーザの負担を軽減できる。また、通知内容はディスプレイ装置４に表示せず、ユーザＩＤやサービスＩＤに対応するアイコンを表示することで、ディスプレイ装置４が公衆の場にあっても、通知内容が他人に知られるのを防止できる。つまり、だれ（どのユーザ）がどのサービスを利用しているかを秘匿でき、ユーザのプライバシーも保護できる。そして、ユーザから視認可能なディスプレイ装置４に、ユーザへの通知があることが表示されるので、ユーザが通知に気づく確率を高めることができる。通知がクーポンに関するものの場合、クーポンを表示することで、その利用確率を高めることができる。通知が広告に関するものの場合、広告などを表示することで、広告の商品やサービスの利用確率を高めることができる。
【００４７】
なお、本実施の形態の通知制御装置としてコンピュータを機能させるためのコンピュータプログラムすなわち、通知制御システムにおける通知制御装置の動作方法を実行させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００４８】
１…通知制御装置
２…ディスプレイ管理装置
３…端末
４…ディスプレイ装置
５…サービス装置
６…表示情報管理装置
１１…通知確認部
１２…ディスプレイ検出部
１３…通知送信部
３１…問い合わせ送信部
３２…位置情報送信部
３３…通知受信部
４１…表示情報受信部
４２…通知受信部
４３…表示部
【図１】
2015114940.tif 000003
【図２】
2015114940.tif 000004
【図３】
2015114940.tif 000005
【図４】
2015114940.tif 000006
【図５】
2015114940.tif 000007
【図６】
2015114940.tif 000008